(57)【要約】【課題】  接着剤等を用いずに把持体を容器本体に確実かつ容易に取り付けることができ、安定して持ち運びすることのできる容器を提供することを課題とする。【解決手段】  上方向に開口する容器本体と該容器本体の上端部より上方に突出するように容器本体に取り付けられた把持体とを備える容器において、前記容器本体は、その上端内周部から内方に向かって突出するように形成された突出部を備え、前記把持体の下端には、前記突出部の下方領域において容器本体の周方向に間隔をあけて二以上配置されて前記突出部に係止される係止部を備える係止体が連設されていることを特徴とする。【選択図】図１
2010143598.tif 000002
【特許請求の範囲】
【請求項１】
上方向に開口する容器本体と該容器本体の上端部より上方に突出するように容器本体に取り付けられた把持体とを備える容器において、
前記容器本体は、その上端内周部から内方に向かって突出するように形成された突出部を備え、前記把持体の下端には、前記突出部の下方領域で容器本体の周方向に間隔をあけて配置され、前記突出部に係止される二つ以上の係止部を備える係止体が連設されていることを特徴とする容器。
【請求項２】
前記係止体は、容器本体内を一方向に横断するように配置され、前記一方向の両端部には、前記突出部に係止される前記係止部が形成されていることを特徴とする請求項１に記載の容器。
【請求項３】
前記突出部は、容器本体の上端部が容器本体の内側に上方から下方に向けて折り返されて形成されることを特徴とする請求項１又は２に記載の容器。
【請求項４】
前記係止体は、前記把持体の下端に連結され、容器本体内を一方向に横断する連結部と、突出部の下方領域に位置する連結部の両端部から容器本体の周方向に沿って延出するように形成された延出部とを備えることを特徴とする請求項１乃至３の何れか一つに記載の容器。
【請求項５】
前記延出部は、容器本体の高さ方向に沿って形成されることを特徴とする請求項４に記載の容器。
【請求項６】
前記容器本体の開口部を上方から覆う蓋体をさらに備え、該蓋体は、容器本体に取り付けられた状態で前記把持体が挿通される挿通口を備えることを特徴とする請求項１乃至５の何れか一つに記載の容器。
【請求項７】
紙製素材を用いて形成されていることを特徴とする請求項１乃至６の何れか一つに記載の容器。
【発明の詳細な説明】
【技術分野】
【０００１】
本発明は、物品を収容する容器に関し、特に、使用者が持ち上げるために把持する把持体を備える容器に関する。
【背景技術】
【０００２】
従来から、物品を収容する容器としては、物品を収容した状態で持ち運びがし易いように構成されたものがある。具体的には、物品を収容する容器として、上方向に開口するように形成された容器本体と、該容器本体に取り付けられて使用者が把持できるように構成された把持体とを備えるものが知られている。
【０００３】
前記把持体は、容器本体から上方に突出するように設けられており、使用者が把持した状態において、容器本体が下方に吊り下げられた状態となるように構成されている。また、前記把持体は、一般的に容器本体とは別体として形成され、接着剤等を用いて容器本体に取り付けられたり、容器が容器本体の上端開口を塞ぐ蓋体を備えている場合には、その蓋体に取り付けられたりしている。
【発明の開示】
【発明が解決しようとする課題】
【０００４】
しかしながら、上記のような容器は、容器本体や蓋体に把持体を接着等する必要があるため、製造をする際にその位置決め等に手間がかかり、容易に把持体を取り付けることが困難な場合がある。
【０００５】
また、蓋体に把持体を取り付けた場合には、把持体を把持して持ち上げた際に、蓋体が容器本体から離れてしまうため、蓋体と容器本体とを粘着テープ等で固定した状態で持ち運びする必要がある。このため、容器の開封を複数回繰り返した場合や気温等の影響によって、粘着テープ等の粘着力が弱くなり、把持体を把持して持ち上げた際に容器本体が蓋体から脱落し易くなって、安定して持ち運ぶことができないことがある。
【０００６】
そこで、本発明は、接着剤等を用いずに把持体を容器本体に確実かつ容易に取り付けることができ、安定して持ち運びすることのできる容器を提供することを課題とする。
【課題を解決するための手段】
【０００７】
本発明にかかる容器は、上方向に開口する容器本体と該容器本体の上端部より上方に突出するように容器本体に取り付けられた把持体とを備える容器において、前記容器本体は、その上端内周部から内方に向かって突出するように形成された突出部を備え、前記把持体の下端には、前記突出部の下方領域において容器本体の周方向に間隔をあけて配置され、前記突出部に係止される二つ以上の係止部を備える係止体が連設されていることを特徴とする。
【０００８】
かかる構成の容器によれば、容器本体の上端内周部から内方に向かって突出するように形成された突出部を備え、前記把持体の下端には、前記突出部の下方領域において容器本体の周方向に間隔をあけて配置され、前記突出部に係止される二つ以上の係止部を備える係止体が連設されていることで、把持体を容器本体に確実かつ容易に取り付けることができる。
【０００９】
具体的には、容器本体に形成された突出部の下方領域に二つ以上の係止部が容器本体の周方向に間隔をあけて配置されることで、把持体を把持した状態で上方に持ち上げた際に、二つ以上の係止部が突出部に下方から当接して係止されるため、把持体を上方に持ち上げた際にも把持体から容器本体が脱落することがなく、接着剤や粘着テープ等を用いずとも容器本体に把持体を取り付けた状態を確実に維持することができる。
【００１０】
また、本発明にかかる容器は、前記係止体が、容器本体内を一方向に横断するように配置され、前記一方向の両端部には、前記突出部に係止される前記係止部が形成されていることが好ましい。
【００１１】
かかる構成の容器によれば、前記係止体が、容器本体内を一方向に横断するように配置され、前記一方向の両端部には、前記突出部に係止される前記係止部が形成されていることで、容器本体に把持体を安定して取り付けることができる。
【００１２】
具体的には、容器本体内を一方向に横断する係止体の両端部に係止部が形成されていることで、容器本体の上端内周部の略対称位置で係止部が突出部によって係止されるため、把持体を把持して持ち上げた際にも、安定して把持体を容器本体に取り付けた状態に維持することができる。また、例えば、容器本体の上端内周部が平面視楕円形状である場合には、その長径方向に係止体が横断するように配置されることで、係止体が平面視楕円形状の上端内周部の中心を軸に容器本体の周方向に回転してしまうのを防止することができ、把持体の位置決めを容易にすることができる。
【００１３】
また、本発明にかかる容器は、前記突出部が容器本体の上端部が容器本体の内側に上方から下方に向けて折り返されて形成されることが好ましい。
【００１４】
かかる構成の容器によれば、突出部が容器本体の上端部が容器本体の内側に上方から下方に向けて折り返されて形成されることで、突出部を容器本体の一部として一体的に形成することができる。このため、例えば、突出部を別体として容器本体に取り付けた場合よりも確実に係止体を係止することができる。即ち、容器本体の上端部が折り返されて突出部が容器本体と一体的に形成されていることで、容器本体と突出部との連結部分の強度が高まる結果、突出部が容器本体から外れる等といった事態にならず、係止体を確実に係止することができる。
【００１５】
また、本発明にかかる容器は、前記係止体が前記把持体の下端に連結され、容器本体内を一方向に横断する連結部と、突出部の下方領域に位置する連結部の両端部から容器本体の周方向に沿って延出するように形成された延出部とを備えることが好ましい。
【００１６】
かかる構成の容器によれば、突出部の下方領域に位置する連結部の両端部に容器本体の周方向に向かって延出する延出部が形成されることで、延出部の上端側が突出部に係止されることになる。これにより、係止体が突出部に係止される部分（即ち、係止体が突出部と当接する部分）が大きくなるため、係止体と突出部とがより確実に係止されることになり、このため、把持体を把持して容器を持ち上げた際にも容器本体が脱落することなく、安定して取り付けた状態を維持することができる。
【００１７】
また、本発明にかかる容器は、前記延出部が容器本体の高さ方向に沿って形成されることが好ましい。
【００１８】
かかる構成の容器によれば、延出部が容器本体の高さ方向に沿って形成されることで、係止体（即ち、連結部）の両端部の剛性を高めることができる。具体的には、容器を持ち上げた際に係止体の両端部に容器本体の重量が加わることとなるが、延出部が容器本体の高さ方向に沿って形成されることで、係止体の両端部の高さ方向の剛性が高められ、より安定して取り付け状態を維持することができる。また、延出部が突出部と当接した状態で容器の底面まで形成されている場合には、係止体が容器本体の内側で上下方向に移動することなく固定されるため、把持体も上下方向に移動することなく固定される。これにより、容器本体の上端部よりも突出した状態で把持体を位置決めすることができる。
【００１９】
また、本発明にかかる容器は、前記容器本体の開口部を上方から覆う蓋体をさらに備え、該蓋体は、容器本体に取り付けられた状態で前記把持体が挿通される挿通口を備えることが好ましい。
【００２０】
かかる構成の容器によれば、容器本体の開口部を上方から覆う蓋体に前記把持体を挿通可能な挿通口が形成されることで、容器本体よりも把持体が上方に突出した状態で容器本体の開口を閉じることができ、容器本体内への異物の混入等を確実に防止することができる。
【００２１】
また、本発明にかかる容器は、紙製素材を用いて形成されていることが好ましい。
【００２２】
かかる構成の容器によれば、紙製素材を用いて形成されていることで、安価で容器を製造することができ、また、容器自体の重量を軽量なものにすることができる。さらに、使用後は、焼却処分等できるため、容易に廃棄することができる。
【発明の効果】
【００２３】
以上のように、本発明にかかる容器は、接着剤等を用いずに把持体を容器本体に確実かつ容易に取り付けることができ、安定して持ち運びすることができるといった優れた効果を奏し得る。
【発明を実施するための最良の形態】
【００２４】
以下、本発明の一実施形態について図１〜図６を参照しながら説明する。
【００２５】
本実施形態にかかる容器１は、図１に示すように、物品を収容可能に構成された容器本体２と、該容器本体２を持ち上げ可能に構成された持上体３と、容器本体２を上方から覆うように取り付けられる蓋体４とを備えている。
【００２６】
前記容器本体２は、図２及び図３に示すように、上方向に開口するように構成されている。具体的には、容器本体２は、上下方向に開口した筒状に形成された側壁部２１と、該側壁部２１の下端を閉塞する底部２３とを備えている。より詳しくは、容器本体２の側壁部２１は、断面形状が円形状（本実施形態においては、楕円形状）となるように円筒状に形成されている。また、容器本体２は、側壁部２１の上端部内周から内方に向かって突出するように形成された突出部２２ａを備えている。本実施形態に係る容器本体２は、側壁部２１と突出部２２ａとが紙製素材を用いて一体的に成型されている。なお、以下の説明において、「内方」なる用語が用いられることがあるが、「内方」とは、容器１の中心側に向かう方向、即ち、側壁部２１によって包囲された側に向かう方向をいう。また、内側とは、容器１の中心側、即ち、側壁部２１によって包囲された側をいう。
【００２７】
本実施形態に係る容器本体２は、側壁部２１の上端部に形成された前記突出部２２ａに加え、側壁部２１の下端部にも内方に向かって突出する別の突出部２２ｂが形成されている。なお、以下の説明において、側壁部２１の上端部にある突出部２２ａを上端突出部といい、側壁部２１の下端部にある突出部２２ｂを下端突出部ということとする。
【００２８】
前記上端突出部２２ａは、容器本体２（側壁部２１）の上端部が上方から下方に向けて折り返されて形成される一方、下端突出部２２ｂは、容器本体２（側壁部２１）の下端部が下方から上方に向けて折り返されて形成されている。より詳しくは、上端突出部２２ａは、側壁部２１の上端から内方に向かって延出しつつ下方に向けて屈曲し、その先端部が側壁部２１の内面に当接するように形成されている。これに対し、下端突出部２２ｂは、側壁部２１の下端から内方に向かって延出しつつ上方に向けて屈曲し、その先端部が側壁部２１の内面に当接するように形成されている。そして、本実施形態に係る容器本体２は、上端突出部２２ａ及び下端突出部２２ｂの何れもが、容器本体２の上下端部（即ち、側壁部２１の上下端部）の内周に沿って（内周の全周に亘って）連続的に形成されている。これにより、側壁部２１と両突出部２２ａ，２２ｂとの間に横断面形状が略円形状の空間が形成されている。
【００２９】
前記底部２３は、側壁部２１の下端の開口形状に対応するように形成されており、側壁部２１の下端部（下端突出部２２ｂ）に対し、外周縁部が係止されたり、貼り付けられたりすることで、側壁部２１の下端開口を閉塞するようになっている。詳細については、後述するが、本実施形態に係る底部２３は、持上体３と一体的に形成されており、側壁部２１に持上体３を組み付けることで、側壁部２１の下端開口を閉塞するようになっている。
【００３０】
前記持上体３は、図２及び図４に示すように、使用者によって把持可能に形成された把持体３１と、該把持体３１の下端に連設された係止体３２とを備えている。本実施形態に係る持上体３は、上記構成に加え、係止体３２の下端に連設されて前記底部２３になる底用片部３３をさらに備えている。
【００３１】
前記把持体３１は、正面視において、四角形状に形成されている。より詳しくは、把持体３１は、正面視において矩形状に形成され、本実施形態においては、横長な長方形状に形成されている。また、把持体３１は、使用者が把持する際に手（指）を差し入れ可能に構成されている。具体的には、把持体３１は、正面視において手を挿入するための貫通孔が形成されている。本実施形態に係る把持体３１は、その略中央部に横長な長方形状の貫通孔が形成され、使用者の手を差し入れ易いように構成されている。
【００３２】
前記係止体３２は、容器本体２内を一方向に横断するように配置されている。具体的には、係止体３２は、容器本体２の楕円形状の断面において、その長径方向に沿って（より詳しくは、長径軸と同一の位置に）配置されている。なお、容器本体２内の一方向は、係止体３２の一方向及び蓋体４の一方向に相当する方向である。
【００３３】
また、係止体３２は、正面視において、四角形状（詳しくは、長方形状）に形成されている。また、係止体３２は、前記一方向の両端部（以下、単に両端部と記す）が容器本体２の内周面に当接するように構成されている。具体的には、係止体３２は、正面視四角形状の面において、上下方向に直行する左右方向の両端部が容器本体２の内周面に当接するように形成されている。より詳しくは、係止体３２は、正面視長方形状の面の長手方向の両端部が容器本体２の楕円形状の断面の長径方向に位置する内周部に当接するように構成されている。
【００３４】
より詳しくは、本実施形態に係る係止体３２は、前記把持体３１の下端が連結され、容器本体２内を一方向に横断する連結部３２ａと、上端突出部２２ａの下方領域に位置する連結部３２ａの両端部から容器本体２（側壁部２１）の周方向に沿って延出するように形成された延出部３２ｂとを備えている。前記連結部３２ａは、把持体３１が容器本体２よりも上方に突出するように把持体３１の下端に連結されている。具体的には、連結部３２ａは、容器本体２の高さと略等しい高さで形成されている。これにより、容器本体２内に持上体３が配置された状態において、容器本体２の上端部よりも上方に把持体３１が突出するように構成されている。
【００３５】
また、係止体３２は、容器本体２の内側に配置された状態において、その端部が上端突出部２２ａに係止されるように構成されている。具体的には、前記係止体３２は、上方へ向かう力が係止体３２に加わった際に上端突出部２２ａに係止される係止部３４を備えており、該係止部３４は、上端突出部２２ａの下方領域において容器本体２の周方向に間隔をあけて二つ以上配置されている。
【００３６】
より詳しくは、本実施形態に係る係止体３２は、前記一方向の両端の上端部に上端突出部２２ａに係止される係止部３４が形成されている。本実施形態においては、上述の如く、延出部３２ｂが設けられているため、前記係止部３４は、連結部３２ａの上側の角部が切りかかれて形成された切欠部３４ａと、延出部３２ｂの上端部３４ｂとから構成されている。
【００３７】
前記切欠部３４ａは、上端突出部２２ａの下端部に沿った形状で形成され、上端突出部２２ａに下方から当接するように構成されている。これに対し、前記延出部３２ｂの上端部３４ｂは、上端突出部２２ａに対して周方向に沿うように形成されている。
【００３８】
ここで、延出部３２ｂについて具体的に説明すると、延出部３２ｂは、連結部３２ａの両端部の上下方向に沿った板状に形成され、連結部３２ａの両端部に形成されている。また、延出部３２ｂは、連結部３２ａの両端部に一対ずつ形成されている。具体的には、延出部３２ｂは、連結部３２ａの端部を中心に容器本体２の周方向の逆方向に向かって延出するように一対ずつ形成されている。また、延出部３２ｂは、連結部３２ａの両端部の上下方向を軸に内方に向かって可動するように構成されている。
【００３９】
また、係止体３２は、少なくともその両端部（より詳しくは、延出部３２ｂ）が容器本体２の高さ方向（即ち、上下方向）に沿って形成されている。具体的には、係止体３２の両端部は、上下端突出部２２ａ、２２ｂの間に（言い換えれば、容器本体２の上下方向の略全域に渡って）連続的に形成されている。本実施形態に係る係止体３２は、連結部３２ａ及び延出部３２ｂの上下方向の高さが側壁部２１の高さ（上端突出部２２ａと下端突出部２２ｂとの間隔）に略対応するように設定されている。
【００４０】
前記底用片部３３は、容器本体２の内周面に沿った外周形状を有している。具体的には、底用片部３３は、平面視において、楕円形状に形成され、容器本体２の内側に配置された際に、その外周が容器本体２の内周面に略接触した状態で該外周端部が下端突出部２２ｂ上に載置されるように形成されている。また、底用片部３３は、連結部３２ａの下端部と一体的に連結されている。具体的には、底用片部３３は、長径方向でその略中央を通って横断するように（具体的には、楕円形状の面の長径線と略同一の位置に）連結部３２ａの下端が一方の面（上面）に連結されている。
【００４１】
上記構成からなる持上体３は、把持体３１、係止体３２及び底用片部３３が紙製素材を用いて一体的に形成されている。
【００４２】
前記蓋体４は、前記容器本体２の上端開口部を覆うように形成されている。具体的には、蓋体４は、図２及び図５に示すように、下方向に開口するように構成されている。具体的には、蓋体４は、下方向に開口した筒状に形成されている。より詳しくは、蓋体４は、断面形状が円形状（本実施形態においては、楕円形状）となるように円筒状に形成されている。また、蓋体４は、その外周面を構成する蓋体側壁部４１と容器１の天面を構成する天面部４２とから構成されている。また、前記蓋体４は、蓋体側壁部４１と天面部４２とが紙製素材を用いて成型されている。
【００４３】
前記蓋体側壁部４１は、容器本体２の上端開口部を包囲可能に構成されている。具体的には、蓋体側壁部４１は、上下方向に開口した筒状に形成され、その断面形状が容器本体２の上端部を挿入可能に形成されている。また、蓋体側壁部４１の断面形状は、楕円形状に形成され、容器本体２に取り付けた状態で蓋体側壁部４１の内周面が容器本体２の外周面に当接するように形成されている。
【００４４】
また、蓋体側壁部４１の上端部には、内方に向かって突出する蓋体突出部４１ａが形成されている。該蓋体突出部４１ａは、蓋体側壁部４１の上端部に備えられている。具体的には、蓋体突出部４１ａは、蓋体側壁部４１の上端部が上方から下方に向けて折り返されて内方に向かって突出するように形成されている。また、蓋体突出部４１ａは、蓋体側壁部４１の上端部の内周に沿って連続的に形成されている。
【００４５】
また、天面部４２は、平面の板状に形成され、蓋体側壁部４１の内周面に沿った外周形状を有している。具体的には、天面部４２は、平面視において、楕円形状に形成され、蓋体側壁部４１の内側に配置された際にその外周縁が蓋体側壁部４１の内周面に当接するように構成されている。また、天面部４２は、蓋体側壁部４１の内側に配置された状態で前記蓋体突出部４１ａに下方から当接して接着されている。また、天面部４２は、その略中央（具体的には、楕円形状の面の長径方向の略中央）に前記把持体３１を挿通可能な挿通口４２ａが備えられている。
【００４６】
次に、前記容器本体２、持上体３及び蓋体４が組み合わされて容器１が形成された状態について説明する。図６に示すように、前記容器本体２の内側には持上体３が配置されている。この状態において、底用片部３３は、容器本体２の下端突出部２２ｂに上方から当接し、容器本体２の底部２３を構成している。一方、係止部３４は、容器本体２の上端突出部２２ａの下方領域に位置している。具体的には、切欠部３４ａ及び延出部３２ｂの上端部３４ｂが上端突出部２２ａの下方領域に位置している。また、前記蓋体４は、容器本体２の上端側から開口部を覆うように容器本体２に取り付けられ、挿通口４２ａに挿通された把持体３１が天面部４２よりも上方に突出している。この状態において、把持体３１を把持して持ち上げた際に、係止部３４が容器本体２の上端突出部２２ａによって係止されるため、持上体３から容器本体２が脱落することがなく、容器１が持ち運び可能となっている。
【００４７】
以上のように、本発明にかかる容器１によれば、接着剤等を用いずに把持体を容器本体に確実かつ容易に取り付けることができ、安定して持ち運びすることができるといった優れた効果を奏し得る。
【００４８】
即ち、前記容器１は、容器本体２に形成された上端突出部２２ａの下方領域に係止体３２の両端部（即ち、係止部３４）が位置することで、把持体３１を把持した状態で上方に持ち上げた際に、係止体３２の両端部が上端突出部２２ａに下方から当接して係止されるため、把持体３１を上方に持ち上げた際にも容器本体２が脱落することがなく、接着剤や粘着テープ等を用いずとも容器本体２に把持体３１を取り付けた状態を確実に維持することができる。
【００４９】
また、前記容器１は、容器本体２内を一方向に横断する係止体３２の両端部に係止部３４が形成されていることで、容器本体２の上端内周部の略対称位置で係止部３４が上端突出部２２ａによって係止されるため、把持体３１を把持して持ち上げた際にも、安定して把持体３１を容器本体２に取り付けた状態に維持することができる。また、容器本体２が平面視楕円形状であるため、その長径方向に係止体３２が横断するように配置され、その両端部が容器本体２の内面に当接することで、容器本体２の平面視楕円形状の中心を軸に係止体３２が容器本体２の周方向に回転してしまうのを防止することができる。
【００５０】
また、前記容器１は、上端突出部２２ａが容器本体２の上端部が容器本体の内側に上方から下方に向けて折り返されて形成されることで、上端突出部２２ａを容器本体の一部として一体的に形成することができ、確実の係止体３２を係止することができる。
【００５１】
また、前記容器１は、上端突出部２２ａの下方領域に位置する係止体３２（連結部３２ａ）の両端部に延出部３２ｂが延設されることで、係止体３２が上端突出部２２ａに係止される部分（即ち、係止体３２が上端突出部２２ａと当接する部分）が大きくなるため、係止体３２と上端突出部２２ａとがより確実に係止されることとなる。このため、把持体３１を把持して容器１を持ち上げた際にも容器本体２が脱落することなく、安定して取り付けた状態を維持することができる。
【００５２】
また、前記容器１は、延出部３２ｂが容器本体２の高さ方向に沿って形成されることで、係止体３２の両端部の剛性を高めることができる。また、延出部３２ｂが上端突出部２２ａと当接した状態で容器１の底用片部３３まで形成されている場合には、係止体３２が容器本体２の内側で上下方向に移動することなく固定されるため、容器本体２の上端部よりも突出した状態で把持体３１を位置決めすることができる。
【００５３】
また、前記容器１は、容器本体２の開口部を上方から覆うように形成された蓋体４に前記把持体３１を挿通可能な挿通口４２ａが形成されることで、容器本体２よりも把持体３１が上方に突出した状態で容器本体２の開口を閉じることができ、容器本体２内への異物等の混入を確実に防止することができる。
【００５４】
また、前記容器１は、容器本体２、持上体３及び蓋体４が紙製素材を用いて形成されていることで、安価で容器を製造することができ、また、容器１自体の重量を軽量なものにすることができる。さらに、使用後は、焼却処分等できるため、容易に廃棄することができる。
【００５５】
なお、本発明に係る容器は、上記実施形態に限定されるものではなく、本発明の要旨を逸脱しない範囲で種々の変更が可能である。
【００５６】
例えば、上記実施形態では、容器本体２に上下端突出部２２ａ、２２ｂが形成されているが、これに限定されるものではなく、上端突出部２２ａのみが形成されてもよい。
【００５７】
また、上記実施形態では、延出部３２ｂが上端突出部２２ａと下端突出部２２ｂとの間に連続して形成されているが、これに限定されるものではなく、係止体３２が底用片部３３と別体に形成され、延出部３２ｂが連結部３２ａの上下方向の上端側、或いは中央部のみに形成されてもよい。また、延出部３２ｂが形成されず、連結部３２ａに形成された切欠部３４ａのみが上端突出部２２ａに係止されるようにしてもよい。
【００５８】
また、上記実施形態では、紙製素材を用いて容器１が形成されているが、これに限定されるものではなく、樹脂製素材を用いて形成されてもよい。
【００５９】
上記実施形態では、蓋体４を設けたが、これに限定されるものではなく、蓋体４は必要に応じて設ければよい。
【００６０】
上記実施形態において、上端突出部２２ａを側壁部２１の内周全周に設けるようにしたが、これに限定されるものではなく、例えば、側壁部２１の内周方向で間隔をあけた位置（好ましくは、互いに対向する位置）に上端突出部２２ａを二つ設け、これに対して係止体３２の両端部（係止部３４）を係止させるようにしてもよい。
【００６１】
また、上記実施形態では、係止体３２が容器本体２内を一方向に横断するように配置され、前記一方向の両端部に形成された係止部３４が上端突出部２２ａに係止されるように構成されているが、これに限定されるものではなく、係止体３２が係止部３４を三つ以上備えるようにしてもよい。このような場合、係止体３２が三つの係止部３４を備え、該三つの係止部３４が上端突出部２２ａの下方領域において容器本体２の周方向に等間隔で配置されることが好ましい。かかる場合には、上端突出部２２ａに各係止部３４が係止された状態で、容器本体２の重量が各係止部３４に均等にかかるため、より安定した状態で把持体３１を容器本体２に取り付けることができる。
【図面の簡単な説明】
【００６２】
【図１】本実施形態にかかる容器の斜視図。
【図２】本実施形態にかかる容器の構成を展開した斜視図。
【図３】本実施形態にかかる容器本体の断面図。
【図４】本実施形態にかかる持上体の斜視図。
【図５】本実施形態にかかる蓋体の斜視図及び断面の拡大図。
【図６】本実施形態にかかる容器の断面図。
【符号の説明】
【００６３】
１…容器、２…容器本体、３…持上体、４…蓋体、２１…側壁部、２２ａ…上端突出部（突出部）、２２ｂ…下端突出部（別の突出部）、２３…底部、３１…把持体、３２…係止体、３２ａ…連結部、３２ｂ…延出部、３３…底用片部、３４…係止部、３４ａ…切欠部、３４ｂ…上端部、４１…蓋体側壁部、４１ａ…蓋体突出部、４２…天面部、４２ａ…挿通口
【図１】
2010143598.tif 000003
【図２】
2010143598.tif 000004
【図３】
2010143598.tif 000005
【図４】
2010143598.tif 000006
【図５】
2010143598.tif 000007
【図６】
2010143598.tif 000008